(57)【要約】【課題】従来の洗濯機における濯ぎの方法は、まず洗濯物の入った洗濯槽に水を溜め、次にその中で洗濯物を揺り動かし、最後に脱水を行うという一連の行程を繰り返すことにより洗濯物に含まれる水分の中の洗剤の濃度を段階的に薄めていくというものだった。これは確実な方法であるが大量の水と時間が必要な方法であった。【解決手段】洗濯機において、排水口の栓が開いている状態で、脱水かごが回転している最中に、脱水かごと共に回転している洗濯物に、水道などから供給される清浄な水を散布することを特徴とする濯ぎの方法を用いる。散布された水は脱水かごが回転することにより発生する遠心力によって洗濯物の中を脱水かごの回転軸からその外側へ向かう一方方向へ移動する。これにより、洗濯物に含まれる洗剤を含んだ水分を、効率よく清浄な水と置換することができる。【選択図】図１
2004209129.tif 000002
【特許請求の範囲】
【請求項１】
洗濯機において、排水口の栓が開いている状態で、脱水かごが回転している最中に脱水かごと共に回転している洗濯物に、水道などから供給される清浄な水を散布することを特徴とする濯ぎの方法。
【請求項２】
従来行われている濯ぎの方法すなわち脱水かごを内側にもつ洗濯槽に水を溜め、次にその中で洗濯物を揺り動かすという濯ぎの方法と、請求項１に記載する濯ぎの方法すなわち、洗濯機において排水口の栓が開いている状態で、脱水かごが回転している最中に、脱水かごと共に回転している洗濯物に、水道などから供給される清浄な水を散布することを特徴とする濯ぎの方法を任意の順序で組み合わせることを特徴とする濯ぎの方法。
【請求項３】
請求項１の濯ぎの方法をもつことを特徴とする洗濯機。
【請求項４】
請求項２の濯ぎの方法をもつことを特徴とする洗濯機。
【請求項５】
洗濯機の注水口であって、その注水口にシャワーノズルもしくは略扇状に水を噴出するジェットノズルを有していることを特徴としている洗濯機の注水口。
【発明の詳細な説明】
【０００１】
【発明の属する技術分野】
本発明は遠心脱水かごを備えている洗濯機における濯ぎの方法と、この濯ぎの方法を備えた洗濯機に関するものである。
【０００２】
【従来の技術】洗濯物に含まれる水分の中の洗剤や汚れなどの濃度を減じてき、清浄な水に置換することを濯ぎという。
【０００３】従来の洗濯機における濯ぎの方法は、まず洗濯物の入った洗濯槽に水を溜め、次にその中で洗濯物を揺り動かすという一連の行程を行うことにより洗濯物に含まれる水分の中の洗剤または汚れなどの濃度を薄めるというものだった。
【０００４】通常、従来の濯ぎの方法はこの一連の行程の前後に排水、脱水を行う。
【０００５】そして通常、従来の濯ぎの方法はこの一連の行程を数回繰り返すことによって洗濯物に含まれる水分の中の洗剤または汚れなどの濃度を十分に薄めている。
【０００６】この方法では行程を一回行うごとに一定の割合で確実に洗濯物に含まれる水分の中の洗剤または汚れなどの濃度を減らすことができる。
【０００７】
【発明が解決しようとする課題】
従来の濯ぎの方法では一回の行程で一定の割合で洗濯物に含まれる水分の中の洗剤の濃度を減らすため、この行程を通常数回繰り返す。
【０００８】このため洗濯物に含まれる水分の中の洗剤の濃度をさらに減らそうとした場合にこの行程の回数を増やす必要がある。
【０００９】また、一回この行程を増やす度に大量の水を必要とする。
【００１０】従来の濯ぎの方法では一回の行程の前と後には効率を上げるために排水と脱水が通常行われるが、この脱水の行程を有効に利用できていない。
【００１１】
【課題を解決するための手段】
【００１２】以上の問題点を解決するために、洗濯機において、排水口の栓が開いている状態で、脱水かごが回転している最中に脱水かごと共に回転している洗濯物に、水道などから供給される清浄な水を散布することを特徴とする濯ぎの方法を考案した。
【００１３】脱水かごが回転している最中に散布された水は脱水かごが回転していることにより発生する遠心力によって洗濯物の中を脱水かごの回転軸からその外側へ向かう一方方向へ移動する。
【００１４】これにより、洗濯物に含まれる洗剤を含んだ水分を、効率よく清浄な水と置換することができる。
【００１５】脱水かごの回転軸からその外側へ向かい清浄な水が洗剤や汚れを溶かし込んだ水分を押し出していくため、理論上は最初に散布し始めた水が洗濯物を通り抜けて排水される時には完全に濯ぎが完了しているはずである。
【００１６】この原理は分子生物学や薬理学の分野で用いられる実験手法であるクロマトグラフィーの基礎となっている。
【００１７】しかし、洗濯物は均一な物体ではないためその内部で水が通りやすい通路ができる可能性が高い。
【００１８】このため従来の濯ぎの方法に比べて効率はよいが確実であるとは言えない。
【００１９】この欠点は請求項２に示すとおり従来の濯ぎの方法と請求項１に記載した方法を組み合わせることで解決される。
【００２０】また、従来の濯ぎの方法では一回の行程の前と後には効率を上げるために排水と脱水が通常行われるが、この脱水の行程に請求項１に記載した濯ぎの方法を組み合わせることによりこの脱水の行程を有効に利用し濯ぎ全体の効率を上げることができる。
【００２１】請求項１に記載する濯ぎの方法を可能にするためには脱水かごの中にある洗濯物に略均一に水を散布する必要があるため、注水口に略扇形もしくは略円錐形に水を噴出するシャワーノズルまたはジェットノズルなどの広角に水を散布するノズルを有している必要がある。
【００２２】
【発明の実施の形態】以下に本発明の実施の形態を説明する。
【００２３】請求項１に記載した濯ぎの方法を図１を用いて説明する。
【００２４】この濯ぎの方法の発明は、排水口を開いた状態で、脱水かご１の中に洗剤、汚れなどを溶かし込んだ水分を含んだ洗濯物２がある状態から開始される。
【００２５】脱水かご１を回転させて回転軸から遠ざかる方向へ働く遠心力３を発生させることにより、洗濯物２から洗剤、汚れなどを溶かし込んだ水分を遠心力３によって中心から外側へ向かって移動させるのと前後して、脱水かご１の中の洗濯物２に注水口から清浄な水４を散布する。
【００２６】脱水かご１の中の洗濯物２に注水口から清浄な水４の散布を開始するのは脱水かご１が回転して遠心力３が発生しているときであるが、洗濯物２に清浄な水４の散布を開始した直後に脱水かご１を回転させ始めることによっても同等の効果を得ることができる。
【００２７】散布された清浄な水４は洗濯物２に到達した後、遠心力３に従って脱水かご１の回転軸から外側へ向かい一方方向へ洗濯物２の中を通過していくことになる。
【００２８】散布された清浄な水４は洗濯物２の中を通過していくにしたがって次第に相対的に低濃度の洗剤、汚れを含む水５、相対的に中濃度の洗剤、汚れを含む水６、相対的に高濃度の洗剤、汚れを含む水７となり、最終的に脱水かご１によって洗濯物２から分離されて水受けかご８によって受け止められ排水される。
【００２９】この過程によって洗濯物２に含まれる水分は次第に清浄な水４によって置換される。
【００３０】以上をもって請求項１に記載する濯ぎの方法の説明を終わる。
【００３１】この後、脱水かご１を回転させたまま清浄な水４の散布を停止することによりそのまま脱水の行程に移ることができる。
【００３２】また、請求項２に記載するように従来の濯ぎの方法と組み合わせることにより、より確実に洗濯物に含まれる水分の中の洗剤および汚れの濃度を減じていくことができる。
【００３３】従来の濯ぎの方法は、その一連の行程を繰り返して行うことが多いが、その場合には一連の行程が始まる前に、もしくは一連の行程が終わってその次の行程に移る前に排水と脱水を行うことが通常である。
【００３４】請求項２に記載するように従来の濯ぎの方法と組み合わせる場合に、この脱水の行程中に請求項１に記載する濯ぎの方法を組み込むことによって、濯ぎにかける総合的な時間を有意に延長することなく従来の濯ぎの方法に請求項１の濯ぎの方法を組み込むことができる。
【００３５】このため、従来の濯ぎの方法に請求項１に記載する濯ぎの方法を組み合わせた場合、従来の濯ぎの方法の一連の行程のを単独で用いた時と比較して、濯ぎにかける総合的な時間を有意に延長することなく、洗濯物に含まれる水分の中の洗剤または汚れなどの濃度を従来と同等の水準以上に減じることができる。
【００３６】また、従来の濯ぎの方法と請求項１に記載した濯ぎの方法を組み合わせることにより、従来の濯ぎの方法の一連の行程の回数を減らしても、従来の濯ぎの方法のみを用いて従来の濯ぎの方法の一連の行程の回数を減らさなかった場合の濯ぎと同等の水準まで、洗濯物に含まれる水分の中の洗剤または汚れなどの濃度を減じることができる。
【００３７】本発明は、脱水かごが回転している最中に脱水かごと共に回転している洗濯物に、水道などから供給される清浄な水を散布することを特徴としているが、洗濯物全体を均一にすすぐためには洗濯物全体に略均一に水を散布する必要がある。
【００３８】従来のような広口の注水口では注がれた水の落下点が一点に集中してしまう。
【００３９】このため、請求項５に記載するように注水口に略扇形もしくは略円錐形に広がるシャワーノズルもしくはジェットノズルを有することでこの課題を解決することができる。
【００４０】請求項５に記載した注水口は、略扇形もしくは略円錐形に水を噴出するシャワーノズルまたはジェットノズル１０を有することにより、図２に示すとおり水の落下地点を脱水かごの縁の一点と脱水かご１の回転軸９を結ぶ線上を越えて広げることができ、この線上を超える範囲に略均一に水を散布することができる。
【００４１】回転中の脱水かごに上記の範囲で水を散布することにより、脱水かごが一回転するごとに脱水かごの中の洗濯物全体に水を散布することができる。
【００４２】
【発明の効果】本発明は以上に説明したような特徴を持つため以下に記載されるような効果を奏する。
【００４３】請求項１に記載した濯ぎの方法を用いることにより、洗濯物に含まれる水分を正常な水と置換していくことによって洗濯物に含まれる水分中の洗剤または汚れの濃度を効率よく減じていくことができる。
【００４４】従来の濯ぎの方法と任意の順序で組み合わせて行うことによって洗濯物に含まれる水分中の洗剤または汚れなどの濃度をより低濃度にしていくことができる。
【００４５】従来の濯ぎの方法に前後して行われる脱水の行程に請求項１に記載した濯ぎの方法を組み込むことによって、総合的に濯ぎにかかる時間を有意に増加させることなく請求項１に記載した濯ぎの方法と従来の濯ぎの方法を組み合わせることができる。
【００４６】従来の濯ぎの方法と請求項１に記載した濯ぎの方法を組み合わせることにより、従来の濯ぎの方法の一連の行程の回数を減らしても、従来の濯ぎの方法のみを用いて従来の濯ぎの方法の一連の行程の回数を減らさなかった場合の濯ぎと同等の水準まで、洗濯物に含まれる水分の中の洗剤または汚れなどの濃度を減じることができる。
【００４７】請求項３に記載するように注水口にシャワーノズルを設けることにより、回転中の脱水かごの中の洗濯物に有効に均一に水を散布することができる。これにより請求項１に記載する濯ぎの方法が実現できる。
【図面の簡単な説明】
【図１】請求項１に示す濯ぎの方法を表す概念説明図である。
【図２】洗濯物に散布される水が到達する範囲を示す概略説明図である。
【符号の説明】
１脱水かご
２洗濯物
３遠心力
４清浄な水
５相対的に低濃度の洗剤、汚れを含む水
６相対的に中濃度の洗剤、汚れを含む水
７相対的に高濃度の洗剤、汚れを含む水
８水受けかご
９回転軸
１０シャワーノズルまたはジェットノズル
【図１】
2004209129.tif 000003
【図２】
2004209129.tif 000004